(57)【要約】【課題】一台だけでレボルバに保持されたすべての対物レンズを加温でき、装着作業が簡単で、装着しても補正環の操作が可能な顕微鏡の対物レンズ加温用ヒータを提供する。【解決手段】端部１７、１９間を大きく広げた状態で本体３をレボルバ４３の側方からレボルバ４３に設置する。５つの嵌め込み部１５を対物レンズ４５、４６、４７、４８、４９の鏡筒４５ａ、４６ａ、４７ａ、４８ａ、４９ａに側方から嵌め込み、端部１７と端部１９とを連結状態とする。このように一台の対物レンズ加温用ヒータ１をレボルバ４３に装着するだけなので、装着作業を簡単に極めて短い時間で行うことができる。発熱体３１から発せられる熱はレボルバ４３に効率よく伝達される。更に、レボルバ４３に伝達された熱によって対物レンズ４５、４６、４７、４８、４９が加温されて所定の温度となる。【選択図】  図５
2016218092.tif 000002
【特許請求の範囲】
【請求項１】
平板状で柔軟性を有し、しかも装着穴が形成された本体と、前記本体に設けられた発熱体と、前記本体に設けられ対物レンズの温度を検知する温度センサとを具備し、前記装着穴内に前記対物レンズが位置するように前記本体を前記対物レンズが保持されたレボルバに設置して、前記レボルバを介して前記発熱体から発せられる熱を前記対物レンズに伝えることで対物レンズを加温することを特徴とする顕微鏡の対物レンズ加温用ヒータ。
【請求項２】
請求項１に記載した顕微鏡の対物レンズ加温用ヒータにおいて、装着穴には対物レンズの鏡筒の外周面が嵌る略半円形の嵌めこみ部が形成されていることを特徴とする顕微鏡の対物レンズ加温用ヒータ。
【請求項３】
請求項１または２に記載した顕微鏡の対物レンズ加温用ヒータにおいて、本体は途中で切れており、前記本体の切れた部分どうしを連結する連結状態と装着穴に連なる開放部が形成される離間状態とすることができる連結離間手段を設けたことを特徴とする顕微鏡の対物レンズ加温用ヒータ。
【請求項４】
請求項１から３のいずれかに記載した顕微鏡の対物レンズ加温用ヒータにおいて、本体のレボルバに設置する面には粘着性を有する粘着部が形成されていることを特徴とする顕微鏡の対物レンズ加温用ヒータ。
【請求項５】
請求項１から４のいずれかに記載した顕微鏡の対物レンズ加温用ヒータにおいて、温度センサの検知情報に基づいて発熱体の発熱を制御するコントローラを備えたことを特徴とする顕微鏡の対物レンズ加温用ヒータ。
【発明の詳細な説明】
【技術分野】
【０００１】
本発明は顕微鏡の対物レンズ加温用ヒータに係り、特に、検体を所望の温度に調節しながら顕微鏡観察したい場合に、顕微鏡のステージに装着する顕微鏡観察用加温装置と共に使用することにより、検体の加温効果を十分なものとすることができる顕微鏡の対物レンズ加温用ヒータに関するものである。
【背景技術】
【０００２】
細胞等を所定の温度に保ち培養しながら顕微鏡で観察する場合に顕微鏡観察用加温装置が用いられる。顕微鏡観察用加温装置は顕微鏡のステージに装着し、検体を加温する。更に、温度センサによって加温部等の温度を検知し、この検知情報に基づいて温度調節を行う。ところが、顕微鏡観察中において顕微鏡観察用加温装置からの熱が対物レンズを伝わって逃げ、検体を所望の温度に保つことができなくなってしまう。特に、倒立顕微鏡を用いて高倍率で検体を観察する場合や液浸を用いる場合には、対物レンズが顕微鏡観察用加温装置に極端に接近したり、接触したりするため、顕微鏡観察用加温装置内の熱が対物レンズに奪われてしまう。従って、顕微鏡観察用加温装置の温度制御のみでは、検体を所望の温度に正確に保つのが困難である。
そこで、特許文献１に示すレンズヒータが用いられている。このレンズヒータは、その本体を対物レンズの鏡筒に巻き付けるように装着する。そして、本体に設けられた発熱体によって対物レンズを加温する。
【０００３】
しかしながら、上記従来のレンズヒータは鏡筒に巻き付けるため、対物レンズの数だけ用意する必要があるばかりか、すべての対物レンズに装着する作業はかなり面倒である。また、対物レンズの補正環の操作が全くできなくなってしまうという問題がある。
【先行技術文献】
【特許文献】
【０００４】
【特許文献１】特開２００２−２５０８６９号公報
【発明の概要】
【発明が解決しようとする課題】
【０００５】
本発明は上記した従来の問題点に鑑みて為されたものであり、一台だけでレボルバに保持されたすべての対物レンズを加温でき、装着作業が簡単で、装着しても対物レンズの補正環の操作が可能な顕微鏡の対物レンズ加温用ヒータの提供を、その目的とする。
【課題を解決するための手段】
【０００６】
本発明は上記課題を解決するためになされたものであり、請求項１の発明は、平板状で柔軟性を有し、しかも装着穴が形成された本体と、前記本体に設けられた発熱体と、前記本体に設けられ対物レンズの温度を検知する温度センサとを具備し、前記装着穴内に前記対物レンズが位置するように前記本体を前記対物レンズが保持されたレボルバに設置して、前記レボルバを介して前記発熱体から発せられる熱を前記対物レンズに伝えることで対物レンズを加温することを特徴とする顕微鏡の対物レンズ加温用ヒータである。
【０００７】
請求項２の発明は、請求項１に記載した顕微鏡の対物レンズ加温用ヒータにおいて、装着穴には対物レンズの鏡筒の外周面が嵌る略半円形の嵌めこみ部が形成されていることを特徴とする顕微鏡の対物レンズ加温用ヒータである。
【０００８】
請求項３の発明は、請求項１または２に記載した顕微鏡の対物レンズ加温用ヒータにおいて、本体は途中で切れており、前記本体の切れた部分どうしを連結する連結状態と装着穴に連なる開放部が形成される離間状態とすることができる連結離間手段を設けたことを特徴とする顕微鏡の対物レンズ加温用ヒータである。
【０００９】
請求項４の発明は、請求項１から３のいずれかに記載した顕微鏡の対物レンズ加温用ヒータにおいて、本体のレボルバに設置する面には粘着性を有する粘着部が形成されていることを特徴とする顕微鏡の対物レンズ加温用ヒータである。
【００１０】
請求項５の発明は、請求項１から４のいずれかに記載した顕微鏡の対物レンズ加温用ヒータにおいて、温度センサの検知情報に基づいて発熱体の発熱を制御するコントローラを備えたことを特徴とする顕微鏡の対物レンズ加温用ヒータである。
【発明の効果】
【００１１】
本発明の顕微鏡の対物レンズ加温用ヒータによれば、一台だけでレボルバに保持されたすべての対物レンズを加温できる。また、装着作業を簡単に行うことが可能である。更に、装着しても補正環の操作ができる。
【図面の簡単な説明】
【００１２】
【図１】顕微鏡の対物レンズ加温用ヒータの斜視図である。
【図２】図１に示した顕微鏡の対物レンズ加温用ヒータの平面図である。
【図３】図１に示した顕微鏡の対物レンズ加温用ヒータの使用方法を説明するための斜視図である。
【図４】第１の実施の形態に係る顕微鏡の対物レンズ加温用ヒータ付き顕微鏡観察用温度制御装置及びこれを装着した倒立顕微鏡の斜視図である。
【図５】図１に示した顕微鏡の対物レンズ加温用ヒータをレボルバに装着した状態を示す斜視図である。
【図６】図のＡ−Ａ断面図である。
【発明を実施するための形態】
【００１３】
本発明の実施の形態に係る顕微鏡の対物レンズ加温用ヒータ１を説明する。
図１〜３、図５において符号３は本体を示し、この本体３は外形が円形の平板状に形成され、柔軟性を有する合成樹脂によって構成されている。図６に示すように本体３はベース部５、このベース部５の上面を覆う被覆部７及びベース部５の下面を覆う粘着部９によって構成されている。ベース部５、被覆部７は例えばシリコン系樹脂から成り、柔軟性と電気的絶縁性を有している。また、粘着部９は例えばシリコン系樹脂から成り、粘着性を有している。
【００１４】
本体３には装着穴１１が形成されており、この装着穴１１は本体３の周方向へ膨らむように形成された５つの略半円形の嵌め込み部１５を有している。これら嵌め込み部１５は後述するように倒立顕微鏡４１の対物レンズ４５、４６、４７、４８、４９の鏡筒４５ａ、４６ａ、４７ａ、４８ａ、４９ａの外周面が嵌る（図５、図６参照）。
【００１５】
本体３は途中で切れており、２つの端部１７、１９が形成されている。端部１７の上面部分にはコネクタホルダ２１が取り付けられており、このコネクタホルダ２１にはコネクタ２３が接続される。コネクタホルダ２１の連結ホルダ２７に対向する側の面にはマグネット２５が収容されている。コネクタ２３にはコード２４が連結されている。
また、端部１９の上面部分には連結ホルダ２７が取り付けられており、この連結ホルダ２７のコネクタホルダ２１に対向する側の面にはマグネット２９が収容されている。
これらコネクタホルダ２１、マグネット２５、連結ホルダ２７及びマグネット２９によって連結離間手段が構成されている。
【００１６】
本体３のベース部５にはニクロム線から成る発熱体３１が備えられており、この発熱体３１は被覆部７によって覆われている。発熱体３１はベース部５の一端部から他端部に渡って引き回され、その端部が折り返されており、発熱体３１の両端部がコード２４のリード線（図示せず）にそれぞれ接続されている。
また、ベース部５には熱電対から成る温度センサ３３が備えられ、この温度センサ３３は発熱体３１と同様に被覆部７に覆われている。温度センサ３３を構成する熱電対の先端部は素線が接触して感熱素子３４を構成している。
温度センサ３３の感熱素子３４はコネクタホルダ２１の近傍に備えられている。温度センサ３３はコード２４のリード線（図示せず）に接続されている。
コード２４はコントローラ３５に接続されている。後述するように、コントローラ３５は温度センサ３３の検知情報に基づいて発熱体３１に対する通電を制御して、その発熱を制御する。
【００１７】
図４〜６に示すように、顕微鏡の対物レンズ加温用ヒータ１は倒立顕微鏡４１の略円板状のレボルバ４３に装着される。レボルバ４３には５本の対物レンズ４５、４６、４７、４８、４９が雌ねじ穴に螺合して保持され、鏡筒４５ａ、４６ａ、４７ａ、４８ａ、４９ａがレボルバ４３から上方へ突出するように備えられている。対物レンズ４６、４８の鏡筒４６ａ、４８ａの外周部には補正環４６ｂ、４８ｂが備えられている。
倒立顕微鏡４１のステージ５１には顕微鏡観察用培養装置５３が装着されており、この顕微鏡観察用培養装置５３には培養液と細胞等の検体が入れられたディッシュ（図示せず）が収容されている。顕微鏡観察用培養装置５３内の温度、湿度等はコントローラ５５によって所定の値となるように制御される。
【００１８】
顕微鏡の対物レンズ加温用ヒータ１の使用方法を説明する。
まず、顕微鏡の対物レンズ加温用ヒータ１をレボルバ４３に装着する作業を説明する。
図１に示すマグネット２５とマグネット２９との吸着により端部１７と端部１９とが連結された連結状態から、マグネット２５とマグネット２９との吸着を解除して離間状態として、装着穴１１に連なる開放部２６を形成する。そして、端部１７、１９間の開放部２６を大きく広げた状態で本体３をレボルバ４３の側方からレボルバ４３に設置する。このとき、５つの嵌め込み部１５を対物レンズ４５、４６、４７、４８、４９の鏡筒４５ａ、４６ａ、４７ａ、４８ａ、４９ａの外周面に側方から嵌め込む。次いで、マグネット２５とマグネット２９を吸着させて連結し、端部１７と端部１９とを連結状態とする。
このように一台の対物レンズ加温用ヒータ１をレボルバ４３に装着するだけなので、装着作業を簡単に極めて短い時間で行うことができる。
【００１９】
上記のようにして顕微鏡の対物レンズ加温用ヒータ１をレボルバ４３に装着したら、コントローラ３５の電源スイッチを入れる。そして、コントローラ３５を操作して加熱温度を設定する。
顕微鏡の対物レンズ加温用ヒータ１が作動すると、コード２４内のリード線を介して発熱体３１に通電され、発熱体３１が発熱する。この発熱体３１から発せられる熱によってレボルバ４３が温められる。本体３は柔軟性を有し、しかも粘着性を有する粘着部９がレボルバ４３に接するので、本体３はレボルバ４３の上面に密着することになる。従って、発熱体３１から発せられる熱はレボルバ４３に効率よく伝達される。更に、レボルバ４３に伝達された熱は対物レンズ４５、４６、４７、４８、４９へ伝わり、対物レンズ４５、４６、４７、４８、４９が加温されて所定の温度となる。なお、レボルバ４３、対物レンズ４５、４６、４７、４８、４９は主にアルミニウム合金等の金属によって構成されているので、熱伝導率が高く、レボルバ４３を加温すれば対物レンズ４５、４６、４７、４８、４９を十分に加温することが可能である。
【００２０】
また、温度センサ３３によってレボルバ４３の温度が検知され、この検知情報に基づきコントローラ３５によって発熱体３１に対する通電が制御され、顕微鏡の対物レンズ加温用ヒータ１による加熱温度が所定の値に保たれる。
上記のように顕微鏡の対物レンズ加温用ヒータ１によって対物レンズ４５、４６、４７、４８、４９が加温されるので、顕微鏡観察中において顕微鏡観察用培養装置５３内の検体を温めるための熱が対物レンズ４５、４６、４７、４８、４９を伝わって逃げるのを防止でき、検体を所望の温度に正確に保つことができる。
このように顕微鏡の対物レンズ加温用ヒータ１によれば、一台だけでレボルバ４３に保持されたすべての対物レンズ４５、４６、４７、４８、４９を加温できる。
【００２１】
また、顕微鏡の対物レンズ加温用ヒータ１はレボルバ４３に設置されるので、対物レンズ４５、４６、４７、４８、４９の鏡筒４５ａ、４６ａ、４７ａ、４８ａ、４９ａは露出した状態となっている。従って、補正環４６ｂ、４８ｂの操作に支障を及ぼすことはない。
【００２２】
以上、本発明の実施の形態について詳述してきたが、具体的構成は、この実施の形態に限られるものではなく、本発明の要旨を逸脱しない範囲における設計の変更などがあっても発明に含まれる。
上記実施の形態では、本発明の顕微鏡の対物レンズ加温用ヒータを倒立顕微鏡に装着する場合を示したが、本発明はこれに限定されず、正立顕微鏡や実体顕微鏡に装着してもよいのは勿論である。
【００２３】
上記実施の形態では発熱体をニクロム線によって構成したが、面状ヒータ等によって構成してもよい。また、コネクタホルダに対しコネクタを着脱可能な構成としてもよく、コネクタホルダとコネクタが一体となった構成としてもよい。
上記実施の形態では、本体の端部どうしをマグネットによって連結する連結状態と、装着穴に連なる開放部が形成される離間状態とすることが可能な構成としたが、本発明はこれに限定されず、本体が途中で切れておらず、装着穴に連なる開放部が形成されない構成としてもよい。このような構成の顕微鏡の対物レンズ加温用ヒータの場合には、本体を弾性変形させて装着穴を広げて、装着穴内に対物レンズが入る状態として、本体をレボルバに設置する。
【産業上の利用可能性】
【００２４】
本発明の顕微鏡の対物レンズ加温用ヒータは理化学機器製造業に利用可能性を有する。
【符号の説明】
【００２５】
１…ヒータ付き顕微鏡観察用加温装置
３…本体                  ５…ベース部              ７…被覆部
９…粘着部              １１…嵌め込み用穴        １５…嵌め込み部
１７、１９…本体の端部    ２１…コネクタホルダ      ２３…コネクタ
２４…コード              ２５…マグネット          ２６…開放部
２７…連結ホルダ          ２９…マグネット          ３１…発熱体
３３…温度センサ          ３４…感熱素子          ３５…コントローラ
４１…倒立顕微鏡          ４３…レボルバ
４５、４６、４７、４８、４９…対物レンズ
４５ａ、４６ａ、４７ａ、４８ａ、４９ａ…鏡筒
４６ｂ、４８ｂ…補正環          ５１…倒立顕微鏡のステージ
５３…顕微鏡観察用培養装置      ５５…コントローラ
【図１】
2016218092.tif 000003
【図２】
2016218092.tif 000004
【図３】
2016218092.tif 000005
【図４】
2016218092.tif 000006
【図５】
2016218092.tif 000007
【図６】
2016218092.tif 000008